(57)【要約】【課題】簡素な構成でガイドレールに対して過度に潤滑油を供給することを防止する。【解決手段】ガイドシュー11に設けられた支持部材31と、ガイドレール5に接触し潤滑油を塗布する塗布部材32と、ガイドレール5に接触して位置する摺動子33と、一端に塗布部材32、他端に摺動子33が取り付けられ、中間部を支持部材31に回動可能に結合された回動部材34と、塗布部材32がガイドレール5から離れる方向に回動部材34を付勢する付勢構造35とを備え、乗かごの停止状態およびガイドレール5における潤滑油の充足状態において回動部材34は塗布部材32をガイドレールから離れて位置させる初期姿勢を成し、ガイドレール5における潤滑油の不足状態での昇降体の上昇中において、摺動子33がガイドレール5との間の過大な摺動抵抗で4引き動かされることに伴い、回動部材34は付勢構造35による付勢に抗して塗布部材32をガイドレール5に接触させる作動姿勢を成す。【選択図】図２
2015101419.tif 000002
【特許請求の範囲】
【請求項１】
乗かごまたはカウンタウェイトから成る昇降体に設けられたガイドシューの摺動対象であるガイドレールに対し潤滑油を供給するエレベータのガイドレール給油装置において、
前記昇降体と一体的に昇降する支持部材と、
潤滑油を含浸し、前記ガイドレールに接触して潤滑油を塗布する塗布部材と、
前記ガイドレールに接触して位置する摺動子と、
一端に前記塗布部材が取り付けられ、他端に前記摺動子が取り付けられ、中間部を前記支持部材に回動可能に結合された回動部材と、
前記塗布部材が前記ガイドレールから離れる方向の力のモーメントを、前記回動部材に付与する付勢構造とを備え、
前記昇降体が停止した状態、および、前記ガイドレールにおける潤滑油が充足した状態において、前記回動部材は前記力のモーメントにより、前記塗布部材を前記ガイドレールから離れて位置させる初期姿勢を成し、
前記ガイドレールにおける潤滑油が不足した状態での前記昇降体の上昇中または下降中において、前記摺動子が前記ガイドレールとの間に生じる過大な摺動抵抗により引き動かされることに伴い、前記回動部材は前記力のモーメントに抗して回動することで、前記塗布部材を前記ガイドレールに接触させる作動姿勢を成す
ことを特徴とするエレベータのガイドレール給油装置。
【発明の詳細な説明】
【技術分野】
【０００１】
本発明は、乗かごまたはカウンタウェイトに設けられたガイドシューが摺動するガイドレールに対して潤滑油を供給するエレベータのガイドレール給油装置に関する。
【背景技術】
【０００２】
エレベータの昇降路内には、ガイドレールが上下方向に延びて設けられている。乗かごまたはカウンタウェイトから成る昇降体には、ガイドレールに対して摺動するガイドシューが設けられている。つまり、昇降体の昇降に伴い、ガイドレールに対しガイドシューが摺動することによって、昇降体の昇降が案内される。ガイドレールに対してガイドシューを円滑に摺動させるために、ガイドレールには潤滑油を供給することが行われる。
【０００３】
ガイドレールに潤滑油を供給するガイドレール給油装置としては、特許文献１に開示されたものがある。このガイドレール給油装置は、オイル（潤滑油）を蓄える給油器と、この給油器からガイドレールに向かってオイルを導く給油パイプと、この給油パイプと給油器との間に介在するオイル弁と、ガイドレールの摺動抵抗に応じてオイル弁を開閉する機構とを備える。
【０００４】
その機構は、ガイドレールに接触する摺動子と、この摺動子を支える摺動子支えと、この摺動子支えと一端部が結合されたアームと、このアームの他端部にピンを介して回動自在に結合されたコネクティングロッドと、このコネクティングロッドと摺動子支えとの間の位置でピンを介してアームを回動自在に支持するスタンドと、ガイドシューに対してスタンドを固定する台と、コネクティングロッドの動作をオイル弁に伝達する部材（ピン等）とを備える。
【先行技術文献】
【特許文献】
【０００５】
【特許文献１】実開昭６１−１０５３７４号公報
【発明の概要】
【発明が解決しようとする課題】
【０００６】
特許文献１に開示された給油装置は、ガイドレールに対して過度に潤滑油を供給することを防止できるものの、摺動子の動作をオイル弁に伝達するための機構としてリンク機構を備える複雑な構成であるので、製作コストが高いという問題を有する。このため、特許文献１に開示された給油装置よりも簡素な構成で、ガイドレールに対して過度に潤滑油を供給することを防止できるものが望まれている。
【０００７】
本発明は前述の事情を考慮してなされたものであり、その目的は、ガイドレールに対して過度に潤滑油を供給することを従来よりも簡素な構成で防止できるエレベータのガイドレール給油装置を提供することにある。
【課題を解決するための手段】
【０００８】
前述の目的を達成するために本発明に係るエレベータのガイドレール給油装置は、乗かごまたはカウンタウェイトから成る昇降体に設けられたガイドシューの摺動対象であるガイドレールに対し潤滑油を供給するエレベータのガイドレール給油装置において、前記昇降体と一体的に昇降する支持部材と、潤滑油を含浸し、前記ガイドレールに接触して潤滑油を塗布する塗布部材と、前記ガイドレールに接触して位置する摺動子と、一端に前記塗布部材が取り付けられ、他端に前記摺動子が取り付けられ、中間部を前記支持部材に回動可能に結合された回動部材と、前記塗布部材が前記ガイドレールから離れる方向の力のモーメントを、前記回動部材に付与する付勢構造とを備え、前記昇降体が停止した状態、および、前記ガイドレールにおける潤滑油が充足した状態において、前記回動部材は前記力のモーメントにより、前記塗布部材を前記ガイドレールから離れて位置させる初期姿勢を成し、前記ガイドレールにおける潤滑油が不足した状態での前記昇降体の上昇中または下降中において、前記摺動子が前記ガイドレールとの間に生じる過大な摺動抵抗により引き動かされることに伴い、前記回動部材は前記力のモーメントに抗して回動することで、前記塗布部材を前記ガイドレールに接触させる作動姿勢を成すことを特徴とする。
【発明の効果】
【０００９】
本発明に係るエレベータのガイドレール給油装置において、摺動子の動作を塗布部材に伝達するものは、支持部材に回動可能に結合した回動部材のみであり、リンク機構のように複雑な機構を必要とするものではないので、ガイドレールに対して過度に潤滑油を供給することを従来よりも簡素な構成で防止でき、これによって、ガイドレール給油装置の製作コストの削減に貢献できる。
【図面の簡単な説明】
【００１０】
【図１】本発明の一実施形態に係るエレベータのガイドレール給油装置が適用されるエレベータの概略図である。
【図２】本発明の一実施形態に係るエレベータのガイドレール給油装置の側面図である。
【図３】図２に示したガイドレール給油装置が乗かご用ガイドレールに潤滑油を塗布している様子を示す側面図である。
【図４】図３に示した塗布部材の上面図である。
【発明を実施するための形態】
【００１１】
本発明の一実施形態に係るエレベータのガイドレール給油装置について図１〜図４を用いて説明する。
【００１２】
本実施形態に係るエレベータのガイドレール給油装置が適用されるエレベータ１は、図１に示すように、昇降路２と、この昇降路２内に配置される乗かご１０（昇降体）およびカウンタウェイト２０（昇降体）と、これら乗かご１０とカウンタウェイト２０を連結する複数のワイヤーロープ３と、これらのワイヤーロープ３を巻き上げる巻上機４と、昇降路２の壁面に上下方向に延びて設けられた１対の乗かご用ガイドレール５および１対のカウンタウェイト用ガイドレール６とを備える。
【００１３】
乗かご１０の上端部および下端部のそれぞれには、乗かご用ガイドレール５に対して摺動する乗かご用ガイドシュー１１，１２が設けられている。カウンタウェイト２０の上端部および下端部のそれぞれには、カウンタウェイト用ガイドレール６に対して摺動するカウンタウェイト用ガイドシュー２１，２２が設けられている。つまり、乗かご１０（昇降体）の昇降に伴い、乗かご用ガイドレール５に対し乗かご用ガイドシュー１１，１２が摺動することによって、乗かご１０の昇降が案内され、カウンタウェイト２０（昇降体）の昇降に伴い、カウンタウェイト用ガイドレール６に対しカウンタウェイト用ガイドシュー２１，２２が摺動することによって、カウンタウェイト２０の昇降が案内される。
【００１４】
本実施形態に係るガイドレール給油装置は、図２に示すガイドレール給油装置３０である。このガイドレール給油装置３０は、乗かご１０またはカウンタウェイト２０に設けられたガイドシュー（乗かご用ガイドシュー１１，１２またはカウンタウェイト用ガイドシュー２１，２２）の摺動対象であるガイドレール（乗かご用ガイドレール５またはカウンタウェイト用ガイドレール６）に対して潤滑油を供給するものである。以下では、本実施形態に係るガイドレール給油装置３０が乗かご用ガイドレール５に対して潤滑油を供給するものとして用いられる場合を例に挙げて説明し、カウンタウェイト用ガイドレール６に対して潤滑油を給油するものとして用いられる場合については、乗かご用ガイドレール５に対して潤滑油を供給するものとして用いられる場合と同様なので説明を省略する。
【００１５】
図２に示すように、本実施形態に係るガイドレール給油装置３０は、乗かご１０と一体的に昇降するよう乗かご用ガイドシュー１１に設けられた支持部材３１と、潤滑油を含浸し、乗かご用ガイドレール５に接触して潤滑油を塗布する塗布部材３２と、乗かご用ガイドレール５に接触して位置する摺動子３３と、一端に塗布部材３２が取り付けられ、他端に摺動子３３が取り付けられ、中間部を支持部材３１に回動可能に結合された回動部材３４と、塗布部材３２が乗かご用ガイドレール５から離れる方向の力のモーメントを、回動部材３４に付与する付勢構造３５とを構成要素として備える。これらの構成要素について詳細に説明していく。
【００１６】
塗布部材３２は、側面視形状が長方形状で上面視形状がコ字型に形成され、外部から給油された潤滑油を含浸する本体３２ａと、この本体３２ａの型崩れを防止する補強枠３２ｂとを備える。本体３２ａの凹部３２ａ１には、乗かご用ガイドレール５が挿入される。本体３２ａの凹部３２ａ１に乗かご用ガイドレール５が挿入された状態において、凹部３２ａ１の両内側面は乗かご用ガイドレール５の両側面に接触し、凹部３２ａ１の奥端面は乗かご用ガイドレール５の突端に接触する。補強枠３２ｂはコ字型に形成され、本体３２ａの両外側面と背面とに固定されている。
【００１７】
摺動子３３は、弾性変形可能な材質の棒状部材、例えばゴム製の棒状部材から成る。この摺動子３３は、図２に示すように、乗かご用ガイドレール５に対して、乗かご用ガイドレール５から離れる方向に下り傾斜を成す。そして、摺動子３３の上端部は乗かご用ガイドレール５の突端に接触して位置し、摺動子３３の下端部は乗かご用ガイドレール５から離れて位置する。
【００１８】
回動部材３４は、Ｌ字型に屈曲した棒状部材である。回動部材３４の中間部であって支持部材３１に回動可能に結合される箇所は、Ｌ字の屈曲部３４ａよりも上方に位置する。
【００１９】
付勢構造３５は、回動部材３４に取り付けられ、乗かご用ガイドレール５から離れる方向に延びたアーム３５ａと、このアーム３５ａの先端に取り付けられた錘３５ｂとを備える。
【００２０】
このように構成された本実施形態に係るガイドレール給油装置３０は、乗かご１０が停止した状態（乗かご用ガイドシュー１１が停止した状態）、および、乗かご用ガイドレール５における潤滑油が充足した状態において、回動部材３４は付勢構造３５により付与される力のモーメントによって、塗布部材３２を乗かご用ガイドレール５から離れて位置させる初期姿勢（図２に示す姿勢）を成す。
【００２１】
一方、乗かご用ガイドレール５における潤滑油が不足した状態での乗かご１０の上昇中（乗かご用ガイドシュー１１の上昇中）において、摺動子３３が乗かご用ガイドレール５との間に生じる過大な摺動抵抗により引き動かされることに伴い、回動部材３４は付勢構造３５により付与される力のモーメントに抗して回動することで、塗布部材３２を乗かご用ガイドレール５に接触させる作動姿勢（図３に示す姿勢）を成す。これにより、塗布部材３２は乗かご用ガイドレール５の両側面および突端に接触し、潤滑油を塗布する。
【００２２】
本実施形態に係るエレベータのガイドレール給油装置３０は次の効果を奏する。
【００２３】
本実施形態に係るエレベータのガイドレール給油装置３０において、摺動子３３の動作を塗布部材３２に伝達するものは、支持部材３１に回動可能に結合した回動部材３４のみであり、リンク機構のように複雑な機構を必要とするものではないので、ガイドレールに対して過度に潤滑油を供給することを従来よりも簡素な構成で防止でき、これによって、ガイドレール給油装置の製作コストの削減に貢献できる。
【００２４】
なお、前述の実施形態に係るエレベータのガイドレール給油装置において、摺動子３３の上端部が乗かご用ガイドレール５の突端に接触して位置し、摺動子３３の下端部が乗かご用ガイドレール５から離れて位置することによって、乗かご１０の上昇時に摺動子３３と乗かご用ガイドレール５との間に生じる摺動抵抗を利用して回動部材３４を作動姿勢にさせるものであるが、乗かご１０の下降時に摺動子３３と乗かご用ガイドレール５との間に生じる摺動抵抗を利用して回動部材３４を作動姿勢にさせる場合には、摺動子３３の下端部が乗かご用ガイドレール５の突端に接触して位置し、摺動子３３の上端部が乗かご用ガイドレール５から離れて位置すればよい。
【符号の説明】
【００２５】
１  エレベータ
２  昇降路
３  ワイヤーロープ
４  巻上機
５  乗かご用ガイドレール
６  カウンタウェイト用ガイドレール
１０  乗かご
１１，１２  乗かご用ガイドシュー
２０  カウンタウェイト
２１，２２  カウンタウェイト用ガイドシュー
３０  ガイドレール給油装置
３１  支持部材
３２  塗布部材
３２ａ  本体
３２ｂ  補強枠
３３  摺動子
３４  回動部材
３４ａ  屈曲部
３５  付勢構造
３５ａ  アーム
３５ｂ  錘
【図１】
2015101419.tif 000003
【図２】
2015101419.tif 000004
【図３】
2015101419.tif 000005
【図４】
2015101419.tif 000006